(57)【要約】【課題】  着脱式の側胴を持つ電気弦楽器において、演奏性を損なうことなく、軽量で持ち運びが容易となる構造を提供する。【解決手段】  二つの側胴８が主胴２の左右に着脱可能に取り付けられる電気弦楽器において、側胴８に開口部８Ｇを設け、側胴末端部８Ｅ付近の重量を増加させる。主胴の幅２Ｗと側胴の幅８Ｗはほぼ等しい。【選択図】図４
2018197841.tif 000002
【特許請求の範囲】
【請求項１】
複数本の弦が取り付けられた主胴と、該主胴の左右両側に着脱可能に取り付けられ、それぞれ開口部を有する一組の側胴とからなる電気弦楽器であって、
前記一組の側胴を前記主胴に取り付けた状態において、少なくとも片方の前記側胴のブリッジ側末端部が、前記主胴のブリッジ側末端部より突出しているとともに、
前記主胴または少なくとも片方の前記側胴の重さを、ブリッジ側末端部付近で増加させたことを特徴とする電気弦楽器。
【請求項２】
前記主胴と前記側胴のそれぞれの幅がいずれも９０ｍｍ〜１５０ｍｍの範囲でほぼ等しいことを特徴とした請求項１記載の電気弦楽器。
【発明の詳細な説明】
【技術分野】
【０００１】  本発明は、複数本の弦が取り付けられた主胴と、二つの着脱式の側胴を持つ電気弦楽器において、可搬性と演奏性を両立させるための構造に関するものである。
【背景技術】
【０００２】  一般的に電気ギターは全長が１，０００ｍｍ程度、幅が３２０ｍｍ〜４００ｍｍ程度、重量が３．５Ｋｇ〜４．５Ｋｇ程度あり、持ち運びが容易ではない。特許文献１では胴部への電子回路追加や胴部のデザイン変更を可能とするために、着脱式の翼状側胴部の構造が開示されており、特許文献２では持ち運びを容易にするために、胴部全体を折り畳み式のパイプで構成する方法、特許文献３では胴の代わりに着脱可能な支持具を使用する方法が提示されている。
【先行技術文献】
【特許文献】
【０００３】
【特許文献１】米国特許４２０１１０８
【特許文献２】特表２００２−５２８７７４
【特許文献３】特開平１１−３０５７６２
【発明の概要】
【発明が解決しようとする課題】
【０００４】  しかしながら、特許文献１のＦＩＧ１，２，３，５に記載された翼状胴部を着脱式とする構造では、持ち運びや収納時の寸法は小さくできるものの、軽量化につながらず、可搬性が充分に改善されないという問題がある。【０００５】  また、特許文献２の図１，３、８，９に記載された胴部全体を折り畳み式のパイプで構成する方法では、持ち運び時の寸法が小さくなり、可搬性が改善されるものの、胴部の剛性が不足して演奏者が楽器を保持しにくく、また、胴部が中空のパイプで構成されているため、ボディ側がヘッド側より軽くなり、重量バランスが悪化して演奏性が低下するという虞がある。特許文献３の図１〜６に記載された着脱可能な支持具を使用する構造によっても可搬性は改善できるものの、ボディを有さないため、特に演奏者が立って演奏する際には楽器を保持しにくく、ボディ側がヘッド側より軽くなり、重量バランスも悪化して演奏性が低下するという問題がある。【０００６】  本発明は、電気弦楽器の可搬性と演奏性を両立することができないという従来構造の課題を解決するためになされたものであって、演奏時に弾きやすく、持ち運び時には小型化できる電気弦楽器の提供を目的とする。
【課題を解決するための手段】
【０００７】  本発明に係る電気弦楽器の構造は、複数本の弦が取り付けられた主胴と、該主胴の左右両側に着脱可能に取り付けられ、それぞれ開口部を有する一組の側胴とからなる電気弦楽器であって、前記一組の側胴を前記主胴に取り付けた状態において、少なくとも片方の前記側胴のブリッジ側末端部が、前記主胴のブリッジ側末端部より突出しているとともに、前記主胴または少なくとも片方の前記側胴の重さを、ブリッジ側末端部付近で増加させたことを特徴とする。【０００８】  また、この発明に係る電気弦楽器の構造は、前記主胴と前記側胴のそれぞれの幅がいずれも９０ｍｍ〜１５０ｍｍの範囲でほぼ等しいことを特徴とする。
【発明の効果】
【０００９】  この発明に係る電気弦楽器の構造によれば、演奏時には、主胴の左右に組み付けられた二つの側胴が通常の電気弦楽器のボディと同様の機能を果たすため、演奏者は違和感なく電気弦楽器を保持し、演奏することができる。【００１０】  軽量化して持ち運びを容易にするため、二つの側胴はそれぞれに開口部を有している。側胴は開口部が無い場合よりも軽量となるが、前記主胴または少なくとも片方の前記側胴の重さをブリッジ側末端部付近で増加させることにより、電気弦楽器の重量バランスの悪化を防ぐことができ、演奏者は通常の電気弦楽器と同様に演奏を楽しむことができる。【００１１】  また、側胴が主胴に取り付けられた状態においては、主胴のブリッジ側末端部が少なくとも片方の側胴のブリッジ側末端部より短くなっているため、二つの側胴を主胴から取り外した状態では、全長が短縮され、寸法的にも持ち運びが容易となる。【００１２】  さらに、それぞれの側胴と主胴がいずれも同等の幅であることから、最小限の幅に収納することができ、持ち運びが一層、容易となる。
【図面の簡単な説明】
【００１３】
【図１】本発明の一実施形態の組立状態を示す正面図である。
【図２】本発明の一実施形態の組立状態を示す背面図である。
【図３】本発明の一実施形態の分解状態を示す斜視図である。
【図４】本発明の一実施形態の組立状態を示す斜視図である。
【発明を実施するための形態】
【００１４】  以下、電気弦楽器のひとつである電気ギターを例に、添付図面に従って一実施例を説明する。
【００１５】  図１に示すように、電気ギター１は、主胴２、指板２Ｆ、ヘッド２Ｈに取り付けられた糸巻３と主胴上面２Ａに配置されたブリッジ５の間に張られた弦１１、弦振動を電気信号に変換するピックアップ４、側胴８、および図２に示すように、主胴側面２Ｃに配置され音量や音質を調整するための電気信号調整用操作子６、主胴末端部２Ｅに設けられた電気信号出力用ジャック７、主胴背面２Ｂに設けられた電気回路を収めるための座掘を覆う裏カバー１０で大略構成されている。
側胴末端部８Ｅは主胴末端部２Ｅより突出しているため、２つの側胴８と主胴２の間に空間２Ｇが形成される。側胴末端部８Ｅが主胴末端部２Ｅより突出する長さは、重量バランス、持ち運びやすさを勘案し、６０ｍｍ〜１２０ｍｍの範囲内であることが望ましい。
なお、図１、図２では二つの側胴８が左右対称の形状となっているが、演奏性が確保できれば、左右で異なる形状であってもよい。また、図２で電気信号調整用操作子６は主胴側面２Ｃの両側に、電気信号出力用ジャック７は主胴末端部２Ｅに配置されているが、操作性に問題がない限り、他の箇所に配置してもよい。
【００１６】  図３に示すように、主胴側面２Ｃには取付ボルト９が入るネジ穴２Ｄが設けられており、貫通孔８Ｄを通る取付ボルト９によって、主胴側面２Ｃと側胴側面８Ｃが接するよう、側胴８は主胴２に着脱自在に固定される。なお、図３においては、側胴８を主胴２に取り付ける方法として、一つの側胴８に対して二本の取付ボルト９が使われているが、取付ボルト９の本数は増減しても良いし、取付ボルト９で固定する方法のかわりに、例えば、永久磁石による方法やＴ溝レールにスライドさせて取り付ける方法でもよい。
【００１７】  図４に示すように、側胴８は主胴への取付部８Ａ、電気ギターのボディ外形を形成する側胴外周部８Ｂで構成され、側胴８の内側に開口部８Ｇを形成する。開口部８Ｇを有することにより側胴８は軽量化される。側胴外周部８Ｂの剛性を高めて演奏性を確保するために、主胴への取付部８Ａと側胴外周部８Ｂの間に補強リブ８Ｆを備えることが望ましい。
【００１８】  側胴外周部８Ｂの厚さは側胴末端部８Ｅに向かって増加している。このため、側胴８の側胴末端部８Ｅ付近の重量も増加し、電気ギター１全体の重心はブリッジ側に移動する。例えば、側胴８をメープル材で製作した場合、側胴末端部８Ｅ付近の厚さがその他部分の厚さの３倍となるようにすれば、側胴末端部８Ｅ付近の重さは１２０ｇ程度増加する。これによって、電気ギター１の重量バランスは、側胴８が開口部８Ｇを有することによって軽量化されても悪化することなく、電気ギター１の可搬性と演奏性の両立が可能となる。
【００１９】  図１，２，３、４では左右両方の側胴外周部８Ｂの厚さを、側胴末端部８Ｅに向かうに従って徐々に増加させているが、側胴末端部８Ｅ付近の重さを増加させる他の方法を使ってもよい。例えば、左右いずれかの側胴外周部８Ｅ付近の厚さを増加させてもよいし、その厚さの増加が不連続であってもよい。側胴末端部８Ｅ付近の厚さは変えずに、その高さを増加させてもよいし、側胴末端部８Ｅに比重の大きい材料を使用したり、側胴８とは別の部品を側胴末端部８Ｅや主胴末端部２Ｅに取り付けてもよい。あるいは、これらの方法を複数併用してもよい。
【００２０】  また、図４に示した主胴の幅２Ｗと側胴の幅８Ｗを、それぞれ９０ｍｍ〜１５０ｍｍの範囲でほぼ等しくすることにより、持ち運び時の寸法を最小化することができる。
【００２１】  なお、側胴８は、木材、合成樹脂、金属などの材料で実施が可能であるが、音質、体感温度を含めた触感の面から、木材であることが望ましい。
【００２２】  以上のように、この実施形態に係る電気ギター１の構造によれば、調律に使用する糸巻３が通常のギターと同様、主胴２のヘッド２Ｈに配置されているため演奏者にとって操作に違和感が無く、側胴外周部８Ｂが通常のギターのボディと同様の形状を有しているため、演奏性が損なわれることはない。
【００２３】  側胴８は開口部８Ｇを有しているため、軽量となり、持ち運びが容易となる。側胴８は補強リブ８Ｆを有しているため、開口部８Ｇが設けられていても、側胴外周部８Ｂの剛性は確保される。側胴８が軽量となっても、側胴末端部８Ｅの重さが増加しているため、電気ギター１の重量バランスが悪化することなく、電気ギター１の軽量化と演奏性を両立させることができる。
【００２４】  また、側胴末端部８Ｅが主胴末端部２Ｅより６０ｍｍ〜１２０ｍｍ突出しており、主胴の幅２Ｗと側胴の幅８Ｗの幅がそれぞれ９０ｍｍ〜１５０ｍｍでほぼ等しいため、主胴２から側胴８を取り外した際には、全長が短縮され、幅も最小限に抑えられて持ち運びがさらに容易となる。
【００２５】  以上、本発明の実施形態について電気ギターを例に、図面を参照して説明したが、本発明は、電気ギター以外の電気弦楽器に適用することが可能であり、また、具体的な構成もこの実施形態に限られるものではなく、本発明の趣旨に沿った範囲の変設計更も含まれる。
【符号の説明】
【００２６】  １・・・電気ギター
２・・・主胴
２Ａ・・・主胴上面
２Ｂ・・・主胴背面
２Ｃ・・・主胴側面
２Ｄ・・・ネジ穴
２Ｅ・・・主胴末端部
２Ｆ・・・指板
２Ｇ・・・空間
２Ｈ・・・ヘッド
２Ｗ・・・主胴の幅
３・・・糸巻
４・・・ピックアップ
５・・・ブリッジ
６・・・電気信号調整用操作子
７・・・電気信号出力用ジャック
８・・・側胴
８Ａ・・・主胴への取付部
８Ｂ・・・側胴外周部
８Ｃ・・・側胴側面
８Ｄ・・・貫通孔
８Ｅ・・・側胴末端部
８Ｆ・・・補強リブ
８Ｇ・・・開口部
８Ｗ・・・側胴の幅
９・・・取付ボルト
１０・・・裏カバー
１１・・・弦
【図１】
2018197841.tif 000003
【図２】
2018197841.tif 000004
【図３】
2018197841.tif 000005
【図４】
2018197841.tif 000006